(57)【要約】【課題】縦積みしても容器がずれにくく、さらには、収容物の視認性にも優れた食品包装用容器を提供する。【解決手段】食品包装用容器１は、収納部を有する本体部３と、多角形平面状の天板部４を有し、本体部３を被覆できるとともに、他の本体部３を載せ置くことができる蓋部２と、天板部４面上の隅部４ａ付近に、少なくとも２つの膨出した隆起部６ａ、６ｂ、６ｃからなる滑り止め部７と、を備えたことを特徴とする。滑り止め部７を設けたことにより、他の本体部３を天板部４上に積載した際に他の本体部３の隅部３ｅを留めることができる。【選択図】図５
2015009809.tif 000002
【特許請求の範囲】
【請求項１】
収納部を有する本体部と、多角形平面状の天板部を有し、前記本体部を被覆できるとともに、他の本体部を載せ置くことができる蓋部と、該天板部面上の隅部付近に、少なくとも２つの膨出した隆起部からなる滑り止め部と、を備えた食品包装用容器。
【請求項２】
前記滑り止め部は、３つの膨出した隆起部からなり、該隆起部を、平面視において、前記天板部の隅部側を頂点とする三角形状に配した請求項１に記載の食品包装容器。
【請求項３】
前記滑り止め部は、前記天板部の隅部側に配した隆起部を、他の２つの隆起部よりも低く形成した請求項２に記載の食品包装用容器。
【請求項４】
前記隆起部を、三角錐状に膨出させて形成した請求項１〜３のいずれかに記載の食品包装用容器。
【請求項５】
前記蓋部は、前記天板部の周囲に下方に向く周壁部を形成し、該周壁部の隅部に、内側に凹ませた補強部を形成した請求項１〜４のいずれかに記載の食品包装用容器。
【発明の詳細な説明】
【技術分野】
【０００１】
本発明は、弁当、惣菜、生鮮食料品などの収容に用いることができる食品包装用容器に関する。
【背景技術】
【０００２】
スーパー、デパートやコンビニエンスストアなどの小売店の店頭には、弁当、惣菜或いは刺身などの生鮮食料品等の食品が食品包装用容器に包装されて数多く陳列されている。
小売店などの従業員などは、数多く陳列するために、多数の食品包装用容器を縦積みにして持ち運ぶことも多い。食品包装用容器は、例えば、ＰＥＴ、ポリスチレン、ポリプロピレンなどからなる熱可塑性合成樹脂シートを、真空成形や圧空成形など熱成形して製造されているものが多く、このようなシートは表面が平滑であるため、縦積みした容器がずれて崩れやすく、持ち運ぶに適したものではなかった。
【０００３】
そこで、蓋の隅部や縁部などに沿い上方に突出する壁状の突起部を設けた容器が開発され、他の容器を積載した際、他の容器の本体部が突起部で支持されて、ずれることを防止できるものである（下記特許文献１又は２参照）。
【０００４】
【特許文献１】実開昭５４−１０４３３２号公報
【特許文献２】特開２０１３−６７４００号公報
【発明の概要】
【発明が解決しようとする課題】
【０００５】
食品包装用容器は、収容物を視認しやすくするため、蓋は透明な材料で作製されることが多い。
しかし、上記特許文献１又は２に示した容器のように、蓋の隅部や縁部に沿い突起部を設けてしまうと、突起部により視界が遮られて視認性が劣り、収容物が確認しづらくなることがあった。
【０００６】
そこで、本発明の目的は、縦積みしても容器がずれにくく、さらには、収容物の視認性にも優れた食品包装用容器を提供することにある。
【課題を解決するための手段】
【０００７】
本発明の食品包装用容器の一態様は、収納部を有する本体部と、多角形平面状の天板部を有し、前記本体部を被覆できるとともに、他の本体部を載せ置くことができる蓋部と、該天板部の隅部付近に、少なくとも２つの膨出した隆起部からなる滑り止め部と、を備えたことを特徴とする。
【０００８】
上記容器は、滑り止め部を設けたため、縦積みしても本体部が蓋部上に留まり容器がずれにくく、持ち運びやすい。また、滑り止め部は、少なくとも２つの膨出した隆起部からなるため、一つの膨出部を小さく形成することができ、目立ちにくく、収容物を視認する際に妨げになりにくいものである。
【０００９】
上記容器の好ましい態様は、前記滑り止め部を、３つの膨出した隆起部からなり、該隆起部を、平面視において、前記天板部の隅部側を頂点とする三角形状に配したものである。
このような構成にすることにより、積載した容器を留めやすくなる。
【００１０】
上記容器の好ましい態様は、前記滑り止め部において、前記天板部の隅部側に配した隆起部を、他の２つの隆起部よりも低く形成したものである。また、隆起部を、三角錐状に膨出させて形成することができる。
このような構成にすることにより、親指などの腹部を滑り止め部に引っ掛けやすく、容器を持ち上げやすくなる。
【００１１】
上記容器の好ましい態様は、前記蓋部において、前記天板部の周囲に下方に向く周壁部を形成し、該周壁部の隅部に、内側に凹ませた補強部を形成することができる。
補強部を設けることにより、周壁部の強度が増し、容器を持ち上げる際に蓋部が変形しにくくなる。
【図面の簡単な説明】
【００１２】
【図１】本発明の食品包装用容器の一実施形態の側面図である。
【図２】図１に示した容器の蓋部と本体部とを分解して示した斜視図である。
【図３】図1に示した容器の蓋部の滑り止め部付近を示した拡大平面図である。
【図４】本発明の食品包装用容器の他の実施形態を示し、蓋部の滑り止め部付近の拡大平面図である。
【図５】図1に示した容器に他の同一形態の容器を積載した状態の一例を示した部分拡大斜視図である。
【発明を実施するための形態】
【００１３】
以下、本発明の食品包装用容器の一実施形態を、図面に基づいて説明する。
【００１４】
本発明の一実施形態の食品包装用容器１は、図１又は図２などに示すように、蓋部２と本体部３とを備えている。蓋部２と本体部３とは、縁部に設けたヒンジ部１ａを介して一体的に形成してあるが、蓋部２と本体部３とを別体として形成してもよい。図１は若干蓋部２を開けた状態を示し、図２は容器１の構造を理解しやすくするためにヒンジ部１ａを切断した状態で示してある。
【００１５】
食品包装用容器１は、食品などを包装する容器として用いることができ、お弁当の容器、惣菜を収容する容器、刺身などの生鮮食品を収容する容器などとして用いることができる。
食品包装用容器１は、本実施形態では、横長長方体状に形成してある。三角柱状、立方体状、六角柱状、八角柱状などの多角形柱状に形成することもできる。
【００１６】
蓋部２は、図１又は図２などに示すように、本体部３の上面開口部を被覆することができ、本実施形態では、上面を形成する天板部４と、天板部４の周囲に下方に向く周壁部５とを備える。周壁部５を設けない形態としてもよい。
天板部４は、本実施形態では、平面視長方形状の水平面として形成してある。形状としては、平面視において、三角形状、正方形状、六角形状、八角形状などの多角形状に形成することもでき、容器１の平面視形状と同じ形状にすることが好ましい。
【００１７】
天板部４の面上の隅部４ａ付近に、本実施形態では、図１〜図３などに示すように、３つの膨出した隆起部６ａ、６ｂ、６ｃからなる滑り止め部７が形成してある。
各隆起部６ａ、６ｂ、６ｃは、天板部４面上をわずかに膨出させて形成することができ、本実施形態では、三角錐状（平面視鏃状も含む）に膨出させて形成してある。各隆起部６ａ、６ｂ、６ｃは、半球状、櫛形状、多角形錐状などに膨出させて形成することもできる。各隆起部６ａ、６ｂ、６ｃは、平面視において、一つあたり５ｍｍ〜１０ｍｍ四方の範囲内に収まる大きさに形成し、２ｍｍ〜７ｍｍの高さに形成することが好ましい。
【００１８】
滑り止め部７は、本実施形態では、図３などに示すように、３つの隆起部６ａ、６ｂ、６ｃから形成し、平面視において、天板部４の隅部４ａ側を頂点とする三角形状に配してある。つまり、一つの隆起部７ａを、隅部４ａ付近に配し、他の二つの隆起部６ｂ、６ｃを、隆起部６ａの両脇に天板部４の縁部沿いに配してある。また、隆起部６ａは、平面視において、頂点を天板部４の中心側に向けて配し、二つの隆起部６ｂ、６ｃは、平面視において、両底辺が略直角になるように配してある。
滑り止め部７は、少なくとも２つの隆起部から形成することができる。例えば、図４に示しように、２つの櫛形の隆起部６ｄ、６ｅを、天板部４の隅部４ａの両縁部に沿い配して形成することができる。
【００１９】
二つの隆起部６ｂ、６ｃは、略同じ高さに形成し、隅部４ａ側の隆起部６ａはそれよりも低く形成することが好ましい。具体的には、二つの隆起部６ｂ、６ｃの高さは、２ｍｍ〜７ｍｍ、好ましくは３ｍｍ〜５ｍｍに形成し、隆起部６ａの高さは、１ｍｍ〜５ｍｍ、好ましくは２ｍｍ〜３ｍｍに形成することができる。このようにすることにより、親指などの腹部などを引っ掛けやすくなり、容器１を持ち上げやすくなる。
【００２０】
周壁部５は、本実施形態では、図１又は図２などに示すように、天板部４の各縁部から下方に傾斜させて形成してある。周壁部５の隅部５ａ又は面上には、内側に凹ませた補強部８を形成するのが好ましい。補強部８を設けることにより、周壁部５が補強され、潰れにくくなる。補強部８は、本実施形態では、断面コ字状又は断面へ字状に凹ませてあるが、これに限定されるものではなく、断面湾曲状、断面Ｖ字状などに凹ませることもできる。
【００２１】
蓋部２は、例えば、透明乃至半透明の熱可塑性合成樹脂シートを熱成形して製造することができる。より詳しくは、ポリスチレン系樹脂シート、ポリエチレン系樹脂シート、ポリプロピレン系樹脂シート、ポリエチレンテレフタレート系樹脂シートなどの熱可塑性樹脂シートを、真空成形、圧空成形、真空圧空成形、熱板成形などの熱成形をして製造することができる。この際、滑り止め部７も一体的に形成することができる。
蓋部２は、本実施形態では、外縁部に、本体部３に外嵌合できるフランジ部２ａを形成してある。
【００２２】
本体部３は、本実施形態では、図２などに示すように、食品などを収容する収容部３ａを備え、平面視長方形状の底面部３ｂと、その各縁部から上方に向け拡がるように傾斜した周壁部３ｃとを備えている。周壁部３ｃの上端側周囲には外方に張り出すフランジ部３ｄが形成してあり、フランジ部２ａと外嵌合できるように形成してある。収容部３ａ内には仕切を設けて区画するようにしてもよい。
本体部３は、蓋部２上に積載できるように形成してあり、図３に示すように、底面部３ｂは、底面部３ｂを天板部４に載せた際に、底面部３ｂの隅部３ｅが滑り止め部７の内側に位置するように形成してある。
本体部３は、蓋部２と同様に、例えば、熱可塑性合成樹脂シートを熱成形して製造することができる。本体部３は、透明乃至半透明にすることができ、白色、黒色、青色、赤色などの有色にしてもよい。
【００２３】
このような食品包装用容器１は、図５に示すように、複数を縦積みできるように形成してあり、食品包装用容器１の蓋部２に他の食品包装用容器１の本体部３を積載した際、底面部３ａが天板部４上に載り、滑り止め部７の隆起部６ａ、６ｂ、６ｃが底面部３ａの隅部３ｅを囲むように位置し、本体部３がずれないように留めることができる。
【００２４】
また、滑り止め部７を３つの膨出した隆起部６ａ、６ｂ、６ｃから形成したため、一つあたりを小さく形成でき、視界を遮りにくく、収容物を視認しやすくなる。天板部４の隅部４ａ付近に滑り止め部８を設けたため、天板部４の中央付近は平面となり値札などのサーマルラベルを貼りやすいものである。
【００２５】
上記実施形態の構成態様は、本発明を限定するものとして挙げたものではなく、技術目的を共通にするかぎり変更は可能であり、本発明はそのような変更を含むものである。
【符号の説明】
【００２６】
１食品包装用容器
１ａヒンジ部
２蓋部
２ａフランジ部
３本体部
３ａ収容部
３ｂ底面部
３ｃ周壁部
３ｄフランジ部
３ｅ隅部
４天板部
４ａ隅部
５周壁部
５ａ隅部
６ａ〜６ｅ隆起部
７滑り止め部
８補強部
【図１】
2015009809.tif 000003
【図２】
2015009809.tif 000004
【図３】
2015009809.tif 000005
【図４】
2015009809.tif 000006
【図５】
2015009809.tif 000007